(57)【要約】    【課題】  エンジン部の破損を防ぐことができる画像形成装置を提供する。    【解決手段】エンジン部を備えた画像形成装置であって、第１クロック信号を生成する制御部と、第１クロック信号に基づいて、エンジン部を駆動する第２クロック信号を生成するエンジン駆動部と、第２クロック信号に基づいて、制御部の動作を停止する監視部とを備えた画像形成装置。例えば、制御部は、画像形成装置を統括的に制御するＣＰＵであって、エンジン駆動部は、エンジン部の動作を制御するＡＳＩＣである。【選択図】  図１
2006272550.tif 000002
【特許請求の範囲】
【請求項１】
エンジン部を備えた画像形成装置において、
第１クロック信号を生成する制御部と、
前記第１クロック信号に基づいて、前記エンジン部を駆動する第２クロック信号を生成するエンジン駆動部と、
前記第２クロック信号に基づいて、前記制御部の動作を停止する監視部と、
を備えたことを特徴とする画像形成装置。
【請求項２】
前記エンジン駆動部は、前記第１クロック信号に基づいて、前記第２クロック信号を生成することを特徴とする請求項１記載の画像形成装置。
【請求項３】
前記エンジン部は、当該画像形成装置が画像を形成する媒体を搬送する搬送部を有し、
前記エンジン駆動部は、前記第１クロック信号を前記搬送部に供給して、当該搬送部を駆動することを特徴とする請求項１又は２記載の画像形成装置。
【発明の詳細な説明】
【技術分野】
【０００１】
本発明は、プリンタ、複写機、ファクシミリ装置などの画像形成装置に関する。
【背景技術】
【０００２】
従来の画像形成装置として、特開平１０−２６８７１４号公報（特許文献１）に開示されたものがある。上記従来の画像形成装置は、ＣＰＵが暴走した場合、ウオッチドッグタイマがＣＰＵの暴走を感知してＲＥＳＥＴ信号を出力し、高圧電源を保護している。
【特許文献１】特開平１０−２６８７１４号公報
【発明の開示】
【発明が解決しようとする課題】
【０００３】
しかしながら、上記従来の画像形成装置は、ＣＰＵ以外の構成が暴走した場合には、ＣＰＵ等がリセットされないため、画像形成装置を構成するモータやソレノイド等が適切に制御されず破損してしまうという問題が生じていた。
【０００４】
よって、本発明は、上記の課題を解決することのできる画像形成装置を提供することを目的とする。この目的は特許請求の範囲における独立項に記載の特徴の組み合わせにより達成される。また従属項は本発明の更なる有利な具体例を規定する。
【課題を解決するための手段】
【０００５】
上記目的を達成するため、本発明の一形態によれば、エンジン部を備えた画像形成装置であって、第１クロック信号を生成する制御部と、第１クロック信号に基づいて、エンジン部を駆動する第２クロック信号を生成するエンジン駆動部と、第２クロック信号に基づいて、制御部の動作を停止する監視部と、を備えたことを特徴とする画像形成装置を提供する。
【０００６】
上記形態によれば、監視部が、エンジン部に供給される第２クロック信号を監視して、制御部の動作を停止することとなる。従って、上記構成によれば、エンジン駆動部のみに異常が生じたような場合においても、制御部及びエンジン駆動部の動作を停止することができるので、エンジン部の破壊を防ぐことができる。上記画像形成装置において、エンジン駆動部は、第１クロック信号に基づいて、第２クロック信号を生成することが好ましい。
【０００７】
上記画像形成装置において、エンジン部は、当該画像形成装置が画像を形成する媒体を搬送する搬送部を有し、エンジン駆動部は、第１クロック信号を搬送部に供給して、当該搬送部を駆動することが好ましい。
【０００８】
上記形態によれば、エンジン駆動部において異常が発生した場合においても、搬送部への過剰な電力供給を防ぐことができる。
【発明を実施するための最良の形態】
【０００９】
以下、図面を参照しつつ、発明の実施形態を通じて本発明を説明するが、以下の実施形態は特許請求の範囲に係る発明を限定するものではなく、また、実施形態の中で説明されている特徴の組み合わせのすべてが発明の解決手段に必須であるとは限らない。
【００１０】
図１は、本発明の画像形成装置の一実施形態を示すブロック図である。本実施形態の画像形成装置は、制御部の一例であるＣＰＵ１１０と、エンジン駆動部の一例であるＡＳＩＣ１２０と、システムクロック信号生成部１３０と、搬送部の一例であるモータ制御部１４０及びモータ１５０と、監視部の一例であるウオッチドッグタイマ１６０及びシステムリセット信号生成部１７０とを備えて構成される。また、本実施形態の画像形成装置は、エンジン部として、感光体ドラム、現像ローラ、転写ユニット、イレイサー、帯電ユニット、レーザ光源、定着ユニット、搬送部等の機構を有している。
【００１１】
ＣＰＵ１１０は、画像形成装置の動作を統括的に制御する。ＣＰＵ１１０は、制御の一例として、システムクロック信号生成部１３０が生成したシステムクロック信号を受け取り、これに基づいて、第１クロックの一例である、ＡＳＩＣ１２０等の動作の基準となる基準クロック信号を生成し、ＡＳＩＣ１２０等に供給する。
【００１２】
ＡＳＩＣ１２０は、モータ制御部１４０及びモータ１５０を含むエンジン部の動作を制御する。ＡＳＩＣ１２０は、ＣＰＵ１１０から基準クロック信号及び制御信号を受け取り、モータ１５０の動作の基準となるモータクロック信号、及び、モータ１５０の動作を制御するモータ制御信号を生成し、これらをモータ制御部１４０に供給する。また、ＡＳＩＣ１２０は、モータクロック信号を、ウオッチドッグタイマ１６０に供給する。
【００１３】
モータ制御部１４０は、モータクロック信号及びモータ制御信号に基づいて、モータ１５０の動作を制御する。モータ１５０は、モータ制御部１４０の制御に基づいて、媒体の搬送等の動作を行う。
【００１４】
ウオッチドッグタイマ１６０は、モータクロック信号を受け取り、これに基づいてＡＳＩＣ１２０の動作を監視する。具体的には、ウオッチドッグタイマ１６０は、モータクロック信号の供給が停止した場合、システムリセット信号生成部１７０にその旨を通知する。そして、システムリセット信号生成部１７０は、ＣＰＵ１１０及びＡＳＩＣ１２０に供給するリセット信号の論理値を変化させて、ＣＰＵ１１０及びＡＳＩＣ１２０をリセットする。
【００１５】
図２は、本実施形態の画像形成装置の動作を示すタイミングチャートである。本実施形態において、ウオッチドッグタイマ１６０は、モータクロック信号がＬ論理を示している期間においてその振幅が増加し、Ｈ論理を示している期間においてその振幅が減少する信号を生成するよう構成されている。
【００１６】
同図に示すように、ウオッチドッグタイマ１６０の出力信号の振幅は、モータクロック信号がＨ論理を示す期間において減少するが、モータクロック信号の供給が停止、すなわち、モータクロック信号にパルスが含まれなくなると、ウオッチドッグタイマ１６０の出力信号の振幅は増加し続ける。そして、システムリセット信号生成部１７０は、ウオッチドッグタイマ１６０の出力信号の振幅が予め定められた値を超えると、リセット信号の論理値をＨ論理からＬ論理に変化させて、ＣＰＵ１１０及びＡＳＩＣ１２０をリセットする。
【００１７】
本実施形態の画像形成装置によれば、ウオッチドッグタイマ１６０が、モータ制御部１４０に供給されるモータクロック信号を監視して、ＣＰＵ１１０及びＡＳＩＣ１２０をリセットすることとなる。すなわち、ウオッチドッグタイマ１６０が、ＡＳＩＣ１２０が出力するモータクロック信号を監視して、ＡＳＩＣ１２０よりも上位にあるＣＰＵ１１０をリセットする。従って、本実施形態によれば、例えば、ＡＳＩＣ１２０において異常が生じたような場合においても、ＣＰＵ１１０及びＡＳＩＣ１２０をリセットすることができる。従って、ＡＳＩＣ１２０において異常が生じた場合においても、モータ１７０やソレノイド等のエンジン部を構成する電装部品への過剰な電力供給を防ぐことができるので、エンジン部の破損を防ぐことができる。
【００１８】
上記発明の実施形態を通じて説明された実施例や応用例は、用途に応じて適宜に組み合わせて、又は変更若しくは改良を加えて用いることができ、本発明は上述した実施形態の記載に限定されるものではない。そのような組み合わせ又は変更若しくは改良を加えた形態も本発明の技術的範囲に含まれ得ることが、特許請求の範囲の記載から明らかである。
【図面の簡単な説明】
【００１９】
【図１】本発明の画像形成装置の一実施形態を示すブロック図である。
【図２】本実施形態の画像形成装置の動作を示すタイミングチャートである。
【符号の説明】
【００２０】
１１０・・・ＣＰＵ、１２０・・・ＡＳＩＣ、１３０・・・システムクロック信号生成部、１４０・・・モータ制御部、１５０・・・モータ、１６０・・・ウオッチドッグタイマ、１７０・・・システムリセット信号生成部
【図１】
2006272550.tif 000003
【図２】
2006272550.tif 000004